(57)【要約】【課題】軽量で、輸送や在庫の効率が良好で、盛土用としてのみならず植栽用としても使用可能なブロック材を安価に提供する。【解決手段】発泡合成樹脂からなり、基板部１の一の面に凸状部２ａと凹状部２ｂとが繰り返し形成された凹凸面２を有することを特徴とする。盛土用として使用する場合は、凹凸面２を下方に向けて並設及び／又は積層し、また植栽用として使用する場合は、凹凸面２を上方に向け、該凹凸面２の凹状部２ｂ内に植栽する。【選択図】図１
2005124529.tif 000002
【特許請求の範囲】
【請求項１】
発泡合成樹脂からなり、基板部の一の面に凸状部と凹状部とが繰り返し形成された凹凸面を有することを特徴とするブロック材。
【請求項２】
凸状部及び凹状部の角部が除去されている請求項１記載のブロック材。
【請求項３】
基板部の他の面から凹凸面に連通するエアー抜きが前記凹凸面に対して垂直方向に形成されている請求項１又は２記載のブロック材。
【請求項４】
凹凸面の開放側端部に、前記凹凸面に対して垂直方向に反り防止溝が形成されている請求項１〜３のいずれか１項に記載のブロック材。
【請求項５】
発泡合成樹脂製ブロックを熱線によりジグザグ状にカットして得られた請求項１〜４のいずれか１項に記載のブロック材。
【請求項６】
発泡合成樹脂からなり、基板部の一の面に凸状部と凹状部とが繰り返し形成された凹凸面を有するブロック材を前記凹凸面を下方に向けて並設及び／又は積層することを特徴とするブロック材の積層方法。
【請求項７】
発泡合成樹脂からなり、基板部の一の面に凸状部と凹状部とが繰り返し形成された凹凸面を有するブロック材を前記凹凸面を上方に向けて配設し、前記凹状部に植栽することを特徴とする緑化方法。
【請求項８】
発泡合成樹脂からなり、基板部の一の面に凸状部と凹状部とが繰り返し形成された凹凸面を有するブロック材を前記凹凸面を下方に向けて並設及び／又は積層し、最上段のブロック材を前記凹凸面を上方に向けて配設し、前記凹状部に植栽することを特徴とする緑化方法。
【発明の詳細な説明】
【技術分野】
【０００１】
本発明はブロック材、該ブロック材の積層方法及び該ブロック材を用いた緑化方法に関し、更に詳しくは、軽量で取り扱い性が良好で、輸送や在庫の際にスペースをとらず輸送や在庫が効率的で、更に、盛土用ブロックとしてのみならず植栽用ブロックとしても使用できるブロック材、該ブロック材の積層方法及び該ブロック材を用いた緑化方法に関する。
【背景技術】
【０００２】
近年、道路や土地造成、公園の築山等の土木工事に発泡合成樹脂ブロック（以下、発泡ブロックと記す）を使用する所謂軽量盛土工法が盛んに行われている（例えば、特許文献１参照）。
【特許文献１】特公平３−７６３６４号公報
【発明の開示】
【発明が解決しようとする課題】
【０００３】
しかしながら、上記発泡ブロックとしては、例えば、縦１ｍ×横２ｍ×厚さ５０ｃｍとかなり大きいものが一般的に使用されており、嵩が大きく、重量が大きく、取り扱い性が悪いばかりでなく、輸送や在庫にも広大なスペースを必要とし、輸送や在庫効率も悪いという問題をはらんでいる。
【０００４】
また、近時、ビルの屋上等の緑化も盛んに行われているが、従来の発泡ブロックでは植栽用ブロックとしては使用できず、従って、別途、植栽用ブロックを準備する必要がある。従って、通常の発泡ブロックと植栽用の発泡ブロックの２種を製造する必要があるため製造コストが上昇し、また、２種のブロックを管理する必要があるため在庫管理も甚だ面倒である。
【０００５】
本発明はかかる実情に鑑み、従来の発泡ブロックに比べて略１／２に軽量化され、輸送や在庫効率は略２倍に向上し、盛土用ブロックとして使用できると同時に植栽用ブロックとしても使用可能な発泡ブロック材及び該発泡ブロック材の積層方法並びに該発泡ブロック材を用いた緑化方法を提供するものである。
【課題を解決するための手段】
【０００６】
本発明は上記目的を達成するためになされたもので、本発明の請求項１は、発泡合成樹脂からなり、基板部の一の面に凸状部と凹状部とが繰り返し形成された凹凸面を有することを特徴とするブロック材を内容とする。
【０００７】
本発明の請求項２は、凸状部及び凹状部の角部が除去されている請求項１記載のブロック材を内容とする。
【０００８】
本発明の請求項３は、基板部の他の面から凹凸面に連通するエアー抜きが前記凹凸面に対して垂直方向に形成されている請求項１又は２記載のブロック材を内容とする。
【０００９】
本発明の請求項４は、凹凸面の開放側端部に、前記凹凸面に対して垂直方向に反り防止溝が形成されている請求項１〜３のいずれか１項に記載のブロック材を内容とする。
【００１０】
本発明の請求項５は、発泡合成樹脂製ブロックを熱線によりジグザグ状にカットして得られた製１〜４のいずれか１項に記載のブロック材を内容とする。
【００１１】
本発明の請求項６は、発泡合成樹脂からなり、基板部の一の面に凸状部と凹状部とが繰り返し形成された凹凸面を有するブロック材を前記凹凸面を下方に向けて並設及び／又は積層することを特徴とするブロック材の積層方法を内容とする。
【００１２】
本発明の請求項７は、発泡合成樹脂からなり、基板部の一の面に凸状部と凹状部とが繰り返し形成された凹凸面を有するブロック材を前記凹凸面を上方に向けて配設し、前記凹状部に植栽することを特徴とする緑化方法を内容とする。
【００１３】
本発明の請求項８は、発泡合成樹脂からなり、基板部の一の面に凸状部と凹状部とが繰り返し形成された凹凸面を有するブロック材を前記凹凸面を下方に向けて並設及び／又は積層し、最上段のブロック材を前記凹凸面を上方に向けて配設し、前記凹状部に植栽することを特徴とする緑化方法を内容とする。
【発明の効果】
【００１４】
本発明のブロック材は、基板部の一の面に凸状部と凹状部とが繰り返し形成された凹凸面を有する形状からなるため、従来の発泡ブロックに比べて、略凹状部に相当する部分だけ大巾に軽量化され、取り扱い性が改善される。
【００１５】
また、凸状部及び凹状部の角部を除去することにより、角部から亀裂が入ることが防止されるので耐圧縮性が向上する。
【００１６】
また、基板部の他の面から凹凸面に連通するエアー抜きを前記凹凸面に対して垂直方向に設けることにより、ブロック材を並設及び／又は積層する際に、空気を封じ込めることがなく、従って、並設、積層の作業性が高められる。
また、エアー抜きは同時に排水孔としても機能し、盛土用ブロック材として使用する場合は、水を下方に流下させて盛土全体を軽くし、沈下等を防ぐとともに、浮力によるブロック材の浮き上がりを防止し、一方、植栽用ブロックとして使用する場合は、余分の水を逃し、根腐れを防止する。
【００１７】
また、凹凸面の開放側端部に、前記凹凸面に対して垂直方向に反り防止溝を設けることにより、ブロック材が凹凸面の方向に反り返るのを防止することができる。
【００１８】
本発明のブロック材は、１個のブロックを熱線によりジグザグ状にカットして２個の本発明のブロック材を得ることができるので、容易に本発明のブロック材を得ることができるとともに、輸送時や在庫時には、両者を組み合わせて恰も１個のブロック材とすることができるので、輸送時や在庫時のスペースを従来のブロック材に比べて略１／２にでき、極めて効率的である。
【００１９】
本発明のブロック材を、その凹凸面を下方に向けて並設及び／又は積層することにより、軽量性に富み、沈下し難い盛土構造体が形成される。
【００２０】
本発明のブロック材を凹凸面を上方に向けて配設し、又は上記の如く、凹凸面を下方に向けて積層し、最上段のブロック材を凹凸面を上方に向けて配設し、前記凹状部に植栽することにより、１種のブロック材を準備するだけで、盛土用ブロック材と植栽用ブロック材の両方に使用することができる。従って、製造コストも低減でき、在庫管理も容易で、２種のブロック材を選び分けする必要がないので現場での作業性も大巾に高められる。
【発明を実施するための最良の形態】
【００２１】
本発明のブロック材は、発泡合成樹脂からなり、基板部の一の面に凸状部と凹状部とが繰り返し形成された凹凸面を有することを特徴とする。
【００２２】
本発明に用いられる発泡合成樹脂としては特に制限されず、発泡スチレン系合成樹脂、ポリエチレンやポリプロピレン等のポリオレフィン系合成樹脂、ポリウレタン系合成樹脂等が挙げられるが、発泡スチレン系合成樹脂が耐水性、剛性、コストの面で好ましい。発泡スチレン系合成樹脂成形体等の廃材を再利用したものも勿論好適に用いられる。
【００２３】
本発明のブロック材の形状は、加工性や並設又は積層の容易性の面から矩形状が好ましい。
本発明のブロック材の寸法は特に制限されず、施工現場の面積等を勘案して適宜決定すればよいが、通常、取り扱い性の面からは、縦０．５〜１．５ｍ、横１〜２．５ｍ、高さ０．５〜１ｍ程度が好ましい。
【００２４】
本発明のブロック材の基板部と凹凸面の寸法も施工現場の状況（湿地帯か乾燥地帯か等）、ブロック材のサイズ、所望の耐圧縮性等を勘案して適宜決定すればよいが、例えば、縦１ｍ、横２ｍ、高さ５０ｃｍのブロック材の場合、基板部の厚さは１０〜２０ｃｍ、凹状部及び凸状部の巾は１０〜２０ｃｍ、高さは３０〜４０ｃｍ程度が好ましい。
【００２５】
本発明のブロック材の凸状部及び凹状部の各角部は、荷重が掛かった際に亀裂が入り易く耐圧縮性が低くなるので、アールを付けて角部をなくすることが好ましい。
【００２６】
本発明のブロック材は、基板部の他の面から凹凸面に連通するエアー抜きを、前記凹凸面に対して概ね垂直方向に設けることにより、空気を封じ込めることがなくなるのでブロック材の並設及び／又は積層の作業は容易となり作業性が高められる。またエアー抜きは同時に排水溝としても機能し、盛土用ブロック材として用いた場合には、浮力による浮き上がりを小さくするとともに、盛土構造体の重量を小さくする。
【００２７】
エアー抜きのサイズは特に制限されないが、通常、５〜５０ｍｍ程度の巾で、凸状部の半分位までの深さのものが好ましい。また個数も特に制限されず、所望の通気性に応じて適宜決定すればよいが、例えば１ｍ当り３〜１０個程度が好ましい。
【００２８】
また、凹凸面の開放側端部に、該凹凸面に対して概ね垂直方向に反り防止溝を設けることにより、ブロック材の凹凸面に沿った方向の反り返りが防止される。反り防止溝のサイズや個数も特に制限されないが、サイズは、５〜５０ｍｍ程度の巾で、深さは１０〜５０ｍｍ程度でよく、また個数は１ｍ当り３〜１０個程度でよい。
【００２９】
本発明のブロック材は、盛土用ブロック材として使用する場合は、通常、凹凸面を下方に向けて並設及び／又は積層される。構築された積層体は多数の中空部（凹状部）を有するので極めて軽量性に富み、沈下等の小さい盛土構造体とすることができる。勿論、本発明のブロック材は、必要に応じ、凹凸面を横方向や斜め方向に、更には上方に向けて使用することも可能である。
【００３０】
本発明のブロック材は、植栽用ブロック材として使用する場合は、凹凸面を上方に向けて配設して凹状部内に植栽するか、又は積層して植栽する場合は、上記したように、凹凸面を下方に向けて並設及び／又は積層し、最上段のブロック材を凹凸面を上方に向けて配設し、該凹状部内に植栽する。
【００３１】
以下、本発明を実施例を示す図面に基づいて更に詳細に説明するが、本発明はかかる実施例に限定されるものではない。
【実施例】
【００３２】
実施例１
図１は、発泡ポリスチレンブロックを熱線によりカットして本実施例の２個のブロック材Ａ、Ｂを作製する状態を示す正面図、図２は同側面図、図３はブロック材Ａの斜視図、図４はブロック材Ｂの斜視図である。尚、図１中の寸法の単位はｃｍである。
これらの図に示すように、ブロック材Ａ、Ｂは、いずれも基板部１の一の面に凸状部２ａと凹状部２ｂとが繰り返し形成された凹凸面２を有してなる。
これらの図から明かな如く、１個のブロック（従来のブロックに相当）から２個のブロック材Ａ、Ｂ（凹凸面の高さが、図では１０ｃｍ低くなるが）が得られるので大巾なコストの低減が図られる。また、輸送時や在庫時には、２個のブロック材Ａ、Ｂは、図１に示す如く、組み合わせられて１個のブロックとなるから、スペースは略１／２となり、輸送や在庫の効率化が図られる。また、コストも略１／２に低減される。
【００３３】
実施例２
図５、図６は、実施例１のブロック材Ａ（図３）、ブロック材Ｂ（図４）において、基板部１の他の面から凹凸面２に連通するエアー抜き３を、該凹凸面２に対して垂直方向に設けるとともに、凹凸面２の開放側端部に、該凹凸面２に対して垂直方向に反り防止溝４が形成されている。
上記の如く、エアー抜き３を設けることにより、空気を封じ込めることなくブロック材を並設及び／又は積層できるので作業性が良好で、また、反り防止溝を設けることにより凹凸面２とは垂直方向（図では縦方向）の反り返りを防止できる。
【００３４】
実施例３
図７は、発泡ポリスチレンブロックを熱線によりカットして２個のブロック材Ｃ、Ｄを作製する状態を示す正面図、図８はブロック材Ｃを示す斜視図、図９はブロック材Ｄを示す斜視図である。
これらの図に示すように、ブロック材Ｃ、Ｄは、いずれも基板部１の一の面に凸状部２ａと凹状部２ｂとが繰り返し形成された凹凸面２を有してなり、該凹凸面２の凸状部２ａ及び凹状部２ｂの角部がアール状の角部５に形成されている。凸状部２ａ及び凹状部２ｂがアール状に形成され、角部が存在しないことにより、負荷時に亀裂が入りにくく、耐圧縮性が高められる。尚、１個のブロックから２個のブロック材が得られ、コストの低減が図られ、また輸送や在庫の効率が高められることは実施例１と同様である。
【００３５】
実施例４
図１０、図１１は、実施例３のブロック材Ｃ（図８）、ブロック材Ｄ（図９）において、基板部１の他の面から凹凸面２に連通するエアー抜き３を、該凹凸面２に対して垂直方向（図では縦方向）に設けた構成からなる。エアー抜き３の効果は実施例２と同様である。
【００３６】
実施例５
図１２は、本発明のブロック材の積層方法を示し、ブロック材Ｍ１は凹凸面２を下方に向けて並設・積層され積層体として構築される。
得られた積層体は多数の凹状部２ｂ（空間部）を含むため、大巾に軽量化され、沈下等のない安定した構築物を維持することができる。
【００３７】
実施例６
図１３は、本発明のブロック材Ｍ１を実施例５の方法で並設・積層し、最上段のブロック材Ｍ２は凹凸面２を上方に向けて配設し、該凹状部２ｂ内に土壌６を入れて播種し、表面を、例えば、不織布からなる水分調整シート７で覆い、発芽成長した植物８を示す。
このように、本発明のブロック材は、盛土用ブロック材としてのみならず、植栽用ブロックとしても使用可能であり、屋上緑化等の緑化用としても有用である。
【産業上の利用可能性】
【００３８】
叙上のとおり、本発明のブロックは、軽量で取り扱い易く、輸送や在庫の効率が良好で、また、従来のブロック１個から２個得ることができるのでコストも略半分に低減される。従って、盛土用ブロックとして用いた場合は、盛土工法のコストを画期的に低減することができる。
【００３９】
また、本発明のブロック材は盛土用ブロック材としてのみならず、植栽用ブロックとしても広く使用できるので、例えば、ビルの屋上に適用した場合は、屋上の断熱と植物の蒸発散による冷却効果により冷暖房費を削減でき、また、精神安定、森林浴等のリラクゼーション効果が得られる。更にＣＯ2 の削減も期待され、地球温暖化の抑制への貢献も頗る大である。
【図面の簡単な説明】
【００４０】
【図１】本発明のブロック材の製造方法を示す正面図である。
【図２】同側面図である。
【図３】本発明のブロック材Ａを示す斜視図である。
【図４】本発明のブロック材Ｂを示す斜視図である。
【図５】本発明のブロック材Ａの他の実施例を示す斜視図である。
【図６】本発明のブロック材Ｂの他の実施例を示す斜視図である。
【図７】本発明のブロック材の他の製造方法を示す正面図である。
【図８】本発明のブロック材Ｃを示す斜視図である。
【図９】本発明のブロック材Ｄを示す斜視図である。
【図１０】本発明のブロック材Ｃの他の実施例を示す斜視図である。
【図１１】本発明のブロック材Ｄの他の実施例を示す斜視図である。
【図１２】本発明のブロック材の積層方法を示す概略図である。
【図１３】本発明のブロック材を用いて緑化する方法を示す概略図である。
【符号の説明】
【００４１】
１  基板部
２ａ  凸状部
２ｂ  凹状部
２  凹凸面
３  エアー抜き
４  反り防止溝
５  アール状角部
６  土壌
７  水分調整シート
８  植物
Ｍ１、Ｍ２  ブロック材
【図１】
2005124529.tif 000003
【図２】
2005124529.tif 000004
【図３】
2005124529.tif 000005
【図４】
2005124529.tif 000006
【図５】
2005124529.tif 000007
【図６】
2005124529.tif 000008
【図７】
2005124529.tif 000009
【図８】
2005124529.tif 000010
【図９】
2005124529.tif 000011
【図１０】
2005124529.tif 000012
【図１１】
2005124529.tif 000013
【図１２】
2005124529.tif 000014
【図１３】
2005124529.tif 000015